(57)【要約】【課題】  非接触式ＩＣカードを有するものが、わざわざＩＣカードを取り出さなくても電界通信で識別できるようなシステムを構築するにあたり、電界通信のための電池の消費電力を極力抑制し、しかも、識別の保全性が低下するような事態を招かないようにする。【解決手段】  非接触通信ＩＤが書き込まれた非接触式ＩＣタグ６を、電界通信ＩＤが書き込まれたタグケース５内に収容し、このタグケース５に蓋５ｈをした状態で、タグ６の非接触通信ＩＤを読み取ってタグケース５の電界通信回路８のメモリー部に書き込むことのできるペアリング装置１０を設ける。そして、このペアリング装置１０によって、電界通信回路８のメモリー部に非接触通信ＩＤが書き込まれると、タグケース５に蓋５ｈをした状態では、電界通信で識別が行われるようにし、蓋５ｈを開けると書き込まれたＩＤ記録が消失するようにする。【選択図】      図１
2014176036.tif 000002
【特許請求の範囲】
【請求項１】
非接触通信ＩＤが書き込まれた非接触式ＩＣタグと、このタグを収容可能で且つ電界通信ＩＤが書き込まれた電界通信回路を有するとともに前記タグの収容部が蓋で開閉自在にされるタグケースを備え、前記タグをタグケース内に収容して蓋をした状態で、前記タグの非接触通信ＩＤを読み取ってタグケースの電界通信回路のメモリー部に書き込むことのできるペアリング装置を設け、このペアリング装置によって、電界通信回路のメモリー部に非接触通信ＩＤが書き込まれると、前記タグケースに蓋をした状態では、外部と電界通信を行うことにより非接触通信ＩＤで識別が行われるようにしたことを特徴とするＩＤ識別システム。
【請求項２】
前記タグケースの蓋を開けると、電界通信回路に書き込まれた非接触通信ＩＤの記録が消失するようにしたことを特徴とする請求項１に記載のＩＤ識別システム。
【発明の詳細な説明】
【技術分野】
【０００１】
本発明は、例えばＦｅｌｉｃａやＳｕｉｃａ等の非接触式ＩＣタグを有する者が、わざわざタグを取り出さなくても電界通信で識別できるようにした技術に関する。
【背景技術】
【０００２】
従来、例えば非接触式のＩＣカードを所持しているだけでビルの入口や駅の改札などを通過できるようにする技術として、ＩＣカードと人体通信ユニットを服のポケットやかばんなどに携帯すれば、人体通信により入場が許可されるような入退場管理システムが知られている。（例えば、特許文献１参照。）
この技術では、人体通信ユニットとして、ＩＣカードのカード情報を読み書きするＩＣカードリーダライターや、読み取ったカード情報を人体通信により送信する人体通信送信機を設けており、また、送信された情報を受信する人体通信受信機や、受信された情報に基づいてゲート装置の開閉を制御するシステム管理装置が設けられている。
【０００３】
一方、ＩＣカードが未対応の通信方式をケースアダプタ等のアダプタ装置に設けると、ＩＣカードとアダプタ装置との通信に要する消費電力ため、アダプタ装置に実装されるバッテリーがすぐ枯渇するという問題があるため、ＩＣカードがセットされていない状態ではリセット状態とし、セットされた状態ではセット状態として処理するような技術（例えば、特許文献２参照。）も知られている。
【先行技術文献】
【特許文献】
【０００４】
【特許文献１】特開２０１２−５３５２０号公報
【特許文献２】特開２０１２−６８７２８号公報
【発明の概要】
【発明が解決しようとする課題】
【０００５】
ところが、前記特許文献１のような技術において、人体通信ユニットには、各機器に電源を供給するための電池が設けられており、ＩＣカードリーダライターでＩＣカードの情報を読み取って送信するための電力は、すべてこの電池で行うようにしているため、電池の消耗度が激しく、実用性に欠けるという問題があった。
また、前記特許文献２の技術においても、カードアダプタ装置にＩＣカードが挿入されると、ＩＣカードに記憶されるカードデータを読み取ってカードアダプタ装置に記憶させる動作はアダプタ装置に実装されるバッテリーに頼らざるを得ないため、携帯する必要のあるアダプタ装置の電力の消費という点からは改善の余地があった。
【０００６】
そこで本発明は、非接触式ＩＣカードを有するものが、わざわざＩＣカードを取り出さなくても電界通信で識別できるようなシステムを構築するにあたり、電界通信のための電池などの消費電力を極力抑制し、しかも、識別の保全性が低下するような事態を招かないようにすることを目的とする。
【課題を解決するための手段】
【０００７】
上記目的を達成するため本発明は、非接触通信ＩＤが書き込まれた非接触式ＩＣタグと、このタグを収容可能で且つ電界通信ＩＤが書き込まれた電界通信回路を有するとともに前記タグの収容部が蓋で開閉自在にされるタグケースを備え、前記タグをタグケース内に収容して蓋をした状態で、前記タグの非接触通信ＩＤを読み取ってタグケースの電界通信回路のメモリー部に書き込むことのできるペアリング装置を設け、このペアリング装置によって、電界通信回路のメモリー部に非接触通信ＩＤが書き込まれると、前記タグケースに蓋をした状態では、外部と電界通信を行うことにより非接触通信ＩＤで識別が行われるようにした。
【０００８】
ここで、タグの非接触通信ＩＤを読み取ってタグケースの電界通信回路のメモリー部に書き込むことのできるペアリング装置としては、例えば、タグを収容して蓋をしたタグケースを差し込むことのできる装置を別個独立して設け、タグに書き込まれた非接触通信ＩＤを読み取るとともに、必要に応じてこれにパソコン等を接続して、読み取った非接触通信ＩＤをタグケースの電界通信回路のメモリー部に書き込めるようにしておく。
そして、このようなペアリング装置を使用することにより、例えばタグケースなどに組み込まれる電池などの電源の消費電力を極力抑制することができ、実用性が増す。
なお、パソコン等は必ずしも必須の構成要件ではなく、例えば、ペアリング装置自体に、タグの非接触通信ＩＤを自動的に読み取ってタグケースの電界通信回路のメモリー部に書き込む機能を有するボタン等を設けておき、このボタン等を押すだけで自動的に、タグの非接触通信ＩＤを電界通信回路のメモリー部に書き込めるようにしてもよい。
【０００９】
また本発明では、前記タグケースの蓋を開けると、電界通信回路に書き込まれた非接触通信ＩＤの記録が消失するようにした。
このように、タグケースの蓋を開ければ、非接触通信ＩＤの記録が消失するようにしておけば、識別ＩＤの保全性を高めることができる。
【発明の効果】
【００１０】
電界通信回路が書き込まれるタグケース内に、非接触通信ＩＤが書き込まれた非接触式ＩＣタグを収容し、これをペアリング装置に投入して、タグケースの電界通信回路のメモリー部に非接触通信ＩＤを書き込むようにすれば、非接触式ＩＣタグを収容したタグケースを携帯するだけで、電界通信により非接触通信ＩＤで識別が行われるようになり便利であるが、この際、タグケースの電源の消費電力が抑制され、実用性を高めることができる。
また、タグケースの蓋を開けると、電界通信回路に書き込まれた非接触通信ＩＤの記録が消失するようにすることで、ＩＤの保全性を高めることができる。
【図面の簡単な説明】
【００１１】
【図１】本発明に係るＩＤ識別システムをゲート通過装置に適用した例を示す説明図である。」
【図２】ＩＤ識別システムのペアリング方法の説明図である。
【図３】タグケースに形成される電界通信回路の説明図である。
【図４】ＩＤ識別システムのペアリング装置の動作フローを説明するフロー図である。
【発明を実施するための形態】
【００１２】
本発明に係るＩＤ識別システムは、非接触式ＩＣカードを有するものが、ポケットや鞄等からわざわざＩＣカードを取り出さなくても電界通信（人体通信）で識別できるようなシステムを構築するにあたり、電界通信のための電池などの消費電力を少なくし、しかも、識別の保全性が損なわれることがないようなシステムとして構成されている。
【００１３】
そこで、以下、非接触式ＩＣタグが保全施設のあるゲートを通過するためのタグとして構成されている場合を例にとって説明する。
【００１４】
図１に示すように、このゲート１は非接触式タグに記録される非接触通信ＩＤ情報を読み取って扉２を開閉するためのアンテナ部３と、電界通信回路の人体通信送信部から発信される電界通信ＩＤ情報を読み取ることのできる人体通信パッド等の受信部４を備えており、この受信部４を通して人体通信により非接触通信ＩＤを流しても扉２を開閉制御できるようにされている。
【００１５】
ところで、本発明では、非接触通信ＩＤが書き込まれた非接触式ＩＣタグを、電界通信ＩＤが書き込まれた電界通信回路を有するタグケース内に収容し、このタグケースに蓋をした状態でペアリング装置に投入することで、ＩＣタグに記憶される非接触通信ＩＤを読み取って、タグケースの電界通信回路のメモリー部に書き込む（以下、この動作をペアリングという）ことができ、それ以降、このタグケースを携帯しておくだけで、電界通信が可能にされているため、ゲートを通過する際は、非接触式通信タグをアンテナ部３にかざす必要がなく、受信部４の上を歩くだけで扉２を開くことができるが、以下、具体的なペアリング方法について図２に基づき説明する。
【００１６】
まず、タグケース５内にＩＣタグ６を収容し、蓋５ｈをする。
この際、タグケース５には、回路基板７が一体的に設けられており、この回路基板７には、図３に示すような電界通信回路８が組み込まれている。すなわち、この回路８は、ＣＰＵ、電源スイッチ、メモリー部、人体通信送信部等を備えるとともに、電池等の電源に接続され、メモリー部には、人体通信ＩＤが記録された人体通信記録エリアや、読み取った非接触通信ＩＤを書き込むことのできる非接触通信ＩＤ記録エリアが設けられている。
【００１７】
因みに、この非接触通信ＩＤ記録エリアに書き込まれた非接触通信ＩＤは、タグケース５の蓋５ｈを開けると、記録が消失するようにしている。
【００１８】
このようなタグケース５内にＩＣタグ６を収容して蓋５ｈをすると、図２に示すように、蓋５ｈをしたタグケース５をペアリング装置１０の挿入口に挿し込む。
すると、ペアリング装置１０では、図４のフローに示すような処理が行われるようにしている。
【００１９】
すなわち、ペアリング装置１０では、ＩＣタグ６がタグケース５内に収容されて蓋５ｈがされていると作動を始め、ペアリング装置１０内に内蔵されたカードリーダがＩＣタグ６の非接触通信ＩＤを読み取り、タグケース５の電界通信回路８のメモリー部に送信すると、ペアリング装置１０内に内蔵されるカードライターでメモリー部の非接触通信ＩＤ記録エリアに書き込む。
【００２０】
この際、メモリー部への書き込みとしては、パソコン１１等に接続して書き込んでもよく、または、パソコン等を接続しなくても、予めペアリング装置１０に書き込み機能を持たせておき、ボタン等を操作するだけで書き込みが行われるようにしておいてもよい。
この際、ＩＣタグ６の非接触通信ＩＤの読み取りや、電界通信回路８のメモリー部への書き込みはペアリング装置１０側の電源を使用するため、タグケース５側の電池等の電力を消費することはない。
【００２１】
以上のような要領でペアリングが完了すると、蓋５ｈを装着したままのタグケース５をペアリング装置１０から抜き取り、ポケットや鞄等に収容して携帯する。
【００２２】
そして、タグケース５を携帯した人が図１の受信部４の上を通過すると、タグケース５の電界通信回路８の人体通信送信部と受信部４との間に人体を介して信号の伝送経路が形成され、非接触通信ＩＤを通信することができる。
【００２３】
ところで、ペアリングを解除する場合、タグケース５の蓋５ｈを開けるだけで、電界通信回路８のメモリー部に書き込んだ非接触通信ＩＤを消去することができる。このため、ＩＤの保全性が維持される。
【００２４】
以上のような要領により、タグケース５側の電池の消費量を抑制することができ、実用性を高めることができる。
【００２５】
なお本発明は以上のような実施形態に限定されるものではない。本発明の特許請求の範囲に記載した事項と実質的に同一の構成を有し、同一の作用効果を奏するものは本発明の技術的範囲に属する。
例えば、本ＩＤ識別システムが適用されるのはゲート装置に限られるものではなく、これは一例である。
【産業上の利用可能性】
【００２６】
非接触通信ＩＣタグによってＩＤ識別を行っていた者がタグを取り出さなくても識別でき、しかもタグケースの電池の消費量が少ないため、実用性を高めることができる。
【符号の説明】
【００２７】
５…タグケース、５ｈ…蓋、６…ＩＣタグ、８…電界通信回路、１０…ペアリング装置。
【図１】
2014176036.tif 000003
【図２】
2014176036.tif 000004
【図３】
2014176036.tif 000005
【図４】
2014176036.tif 000006